(57)【要約】【課題】  眼周辺や鼻、口唇周辺など、肌上の細かい凹凸を有する部分に塗布することが容易ではなく、均一に塗布できず、塗布ムラができやすいという問題点を解消した化粧用スポンジパフを提供すること。【解決手段】  表面、裏面および周回状の側壁により構成される平板状の化粧用スポンジパフであって、その平面視形状が少なくとも曲率の異なる先端部と後方部の２つの部分で形成され、先端部側の曲率は、後方部より小さく、かつ先端部側壁が、その先端角が２０゜ないし７０゜となるくさび形の連続した突出部として形成されたことを特徴とする化粧用スポンジパフ。【選択図】  図１
0003152247.tif 000002
【実用新案登録請求の範囲】
【請求項１】
表面、裏面および周回状の側壁により構成される平板状の化粧用スポンジパフであって、その平面視形状が少なくとも曲率の異なる先端部と後方部の２つの部分で形成され、先端部側の曲率は、後方部より小さく、かつ先端部側壁が、その先端角が２０゜ないし７０゜となるくさび形の連続した突出部として形成されたことを特徴とする化粧用スポンジパフ。
【請求項２】
前記化粧用スポンジパフの表面および裏面の一方または双方の大略中央に、前記先端部も含むように凹みを形成した請求項１記載の化粧用スポンジパフ。
【請求項３】
くさび形が、両刃型のものである請求項１または２記載の化粧用スポンジパフ。
【請求項４】
くさび形が、片刃型のものである請求項１または２記載の化粧用スポンジパフ。
【請求項５】
形状が、後方部側よりも先端部側の方が相対的に幅広い、全体として、卵型ないしは丸みを帯びた扇型の形状である請求項１ないし４の何れかの項記載の化粧用スポンジパフ。
【請求項６】
発泡させたアクリロニトリルブタジエンゴムまたはウレタンゴムで形成されたものである請求項１ないし５の何れかの項記載の化粧用スポンジパフ。
【請求項７】
平均気泡寸法が３０μないし３００μである請求項６記載の化粧用スポンジパフ。
【請求項８】
Ｆ型ゴム硬度計により測定した硬度が、２０ないし１００である請求項６または７記載の化粧用スポンジパフ。
【考案の詳細な説明】
【技術分野】
【０００１】
本考案は、化粧用スポンジパフに関し、更に詳細には、肌の広い部分のみならず、眼周辺や鼻、口唇周辺など、細かい凹凸を有する部分に対しても、メイクアップ化粧料を簡便かつきれいに塗布することのできる化粧用スポンジパフに関する。
【背景技術】
【０００２】
ファンデーション等のメイクアップ化粧料を肌に塗布し、均一に延ばすための塗布具として、化粧用の刷毛が良く知られている（特許文献１、特許文献２等）。しかしながら、刷毛はその製造に手間が掛かり、コストが高いという問題がある。
【０００３】
一方、近年では、刷毛に代えて合成樹脂によりつくられる化粧用スポンジパフが利用されることが多い。このスポンジパフは、大量生産が可能で、コスト的にもメリットがある上、一定の厚さがあれば適度な弾力性があるため、肌上の平坦な部分に対して塗布がしやすいという特徴がある。
【０００４】
しかし他方、厚みのあるスポンジパフは、肌上の細かい部分への塗布がしにくいという問題があった。そして、この欠点を解消しようとして、スポンジパフの厚みを薄くすると、柔らかくなりすぎ、腰がなくなる結果、使用しにくいという新たな問題が生じていた。
【０００５】
従来より、このようなスポンジパフを薄くしたときの欠点を克服するため、スポンジパフの形状の工夫や加工方法の検討がなされているが（特許文献３、特許文献４等）、これらの技術は未だ十分なものとは言えなかった。
【先行技術文献】
【特許文献】
【０００６】
【特許文献１】実用新案登録第２５３０６４８号
【特許文献２】実開平０４−１０２９１７号
【特許文献３】実公昭６２−０２１２２０号
【特許文献４】実公平０５−００３１５７号
【考案の概要】
【考案が解決しようとする課題】
【０００７】
上記のように、現在提供されている合成樹脂製の化粧用スポンジパフには、依然として眼周辺や鼻、口唇周辺など、肌上の細かい凹凸を有する部分に塗布することが容易ではなく、均一に塗布できず、塗布ムラができやすいという傾向があった。このような点を解消した化粧用スポンジパフを提供することが本考案の課題である。
【課題を解決するための手段】
【０００８】
本考案者らは、一定の厚さを有し、適度な弾力性により肌上の平坦部分への塗布がしやすい合成樹脂製の化粧用スポンジパフに、肌上の細かい凹凸を有する部分に対しても均一に、ムラなく化粧料を塗布できる機能を付与すべく鋭意検討を行った。そしてその結果、スポンジパフの平面視の形状を、少なくとも先端側と後方側において、互いに曲率の異なるものとし、そのうち先端部の曲率を後方部より小さいものとし、更にその側壁を先端角が２０゜ないし７０゜となるように突出させることにより、この部分を使用して細かい部分にも化粧料が塗布できること、更に、スポンジパフの中央部に、上記突出させた部分を含んで凹みを形成すれば、より使用性が向上することを見出し、本考案を完成した。
【０００９】
すなわち本考案は、表面、裏面および周回状の側壁により構成される平板状の化粧用スポンジパフであって、その平面視形状が少なくとも曲率の異なる先端部と後方部の２つの部分で形成され、先端部側の曲率は、後方部より小さく、かつ先端部側壁が、その先端角が２０゜ないし７０゜となるくさび形の連続した突出部として形成されたことを特徴とする化粧用スポンジパフである。
【００１０】
また本考案は、前記化粧用スポンジパフの表面および裏面の一方または双方の大略中央に、前記先端部も含むように凹みを形成したことを特徴とする化粧用スポンジパフである。
【考案の効果】
【００１１】
本考案の化粧用スポンジパフは、その大部分を占める平坦部分で肌の平坦部分に化粧料を塗布可能とするとともに、その先端部部分のくさび形に突出した側壁の部分を使用することにより、肌の平坦部分のみならず、眼周辺や鼻、口唇周辺など、肌上の細かい凹凸を有する部分に対しても、化粧料を均一に延ばすことができ、ムラなく塗布できるため、きれいな仕上がりを得ることができる。
【図面の簡単な説明】
【００１２】
【図１】本考案の一態様である化粧パフの平面図である。
【図２】図１の化粧パフのＡ−Ａ'断面図である。
【図３】突出部の別の例を示す断面図である。
【図４】本考案の別の態様である化粧パフの平面図である。
【図５】図４の化粧パフのＢ−Ｂ'断面図である。
【考案を実施するための形態】
【００１３】
次に、本考案の実施態様のいくつかを、図面を挙げ更に詳しく説明する。
【００１４】
図１は、本考案の化粧用スポンジパフの一態様を示す平面図であり、図２は、そのＡ−Ａ'断面図である。図中、１は、化粧用スポンジパフ、２は表面、３は裏面、４は後方部、５は先端部、６は突出部、７は変曲点、９は側壁をそれぞれ示す。
【００１５】
本考案の化粧用スポンジパフ（以下、「化粧パフ」という）１は、基本的に表面２、裏面３および周回状の側壁９により構成される平板状のものである。そして、図１に示すように、この化粧パフ１は、変曲点７ａと７ｂにより、上部側の先端部５と、下部側の後方部４に分けられる。
【００１６】
図１では、後方部４は、先端部５と対向する、より高曲率の高曲率部と、これから連続的に曲率が変化し、略直線状となる部分から構成される。そして、連続的に曲率が変化する部分は、変曲点７ａおよび７ｂにおいて先端部５と接続する。また、本考案の化粧パフ１は、この形状に限られず、後方部４が高曲率部から直接直線状となり、変曲点７ａおよび７ｂで先端部５と結ばれていても良い。
【００１７】
本考案の化粧パフ１のより好ましい形状としては、後方部４側よりも先端部５側の方が相対的に幅広い、全体として、卵型ないしは丸みを帯びた扇型の平面形状が挙げられる。この場合、後方部４は当然塗布に用いてもよいのであるが、その形状から、先端部５を塗布に使用する際の把持部位として用いると使いやすい。
【００１８】
本考案の特徴の一つは、図２に示すように、先端部５がくさび形に連続して突出した形状を形成する点である。すなわち、後方部４の側壁９は、垂直平面あるいは極めて緩やかな曲面となっているのに対し、先端部５は、側壁９に対応する部分がくさび形を形成した突出部６となり、これが連続して設けられている。
【００１９】
このくさび形をした突出部６の先端角は、２０°ないし７０°であり、好ましくは３０°ないし６０°である。この先端角が、２０°より小さいと、この部分での化粧パフのコシがなくなるため化粧料の塗布がしにくくなり、また、７０°より大きいと、細かいところへの化粧料の塗布がしにくくなるため、何れも好ましくない。なお、くさび形の突出部６の先端には、小さなＲが形成されている方がくさび形の先端が壊れにくく、望ましい。
【００２０】
また、くさび形は、図２に示すように断面が両刃型であっても、図３に示すような断面が片刃型であっても良い。
【００２１】
この先端部５にくさび形の突出部６を設ける理由は、次の通りである。即ち、化粧パフは、広く平坦な面に塗布するには大きいほうが均一に塗布しやすく、厚さも厚い（概ね１０ｍｍ以上、特に１２〜２０ｍｍ）方が液状または粉状の化粧料の含みが良いため好ましい。しかし、厚い化粧パフを用いた場合、眼周辺や鼻、口唇周辺など、肌上の細かい凹凸を有する部分に塗布することは難しく、均一に塗布できない結果、塗布ムラができやすい傾向がある。これに対し、化粧パフの先端部５に断面くさび形の突出部６を設けると、この部分を刷毛のように使用することにより、上記の細かい凹凸を有する部分に対しても均一にムラなく塗布できるのである。
【００２２】
なお、上記化粧パフ１の材質としては、従来から化粧パフに利用されるものであれば、特に制約なく利用し得るが、好ましいものとしては、ＮＢＲゴム（アクリロニトリルブタジエンゴム）やウレタンゴム等が挙げられる。また、この化粧パフ１の素材は、発泡させて形成させたものが好ましく、その気泡寸法が平均で３０μないし３００μ程度、特に９０μないし１７０μ程度であることが好ましい。さらに、この化粧パフ１は、肌への塗布しやすさの観点から、その弾性力（硬度）がＦ型ゴム硬度計（デュロメーター）で２０ないし１００程度、特に４０ないし６０程度であることが好ましい。
【００２３】
本考案の化粧パフ１の使用方法は、例えば、頬や額、あご等の平坦部分に化粧料を塗布する際には、表面２や裏面３の広い面を主に使用し、特に眼周辺や鼻、口唇周辺など、肌上の細かい凹凸を有する部分に塗布するときは、先端部５のくさび形に連続した突出部６を利用し、その形状に合わせて化粧料を塗布すれば良い。
【００２４】
一方、図４は、本考案の別の態様の化粧パフを示す平面図であり、図５は、そのＢ−Ｂ'断面図である。図中、１から７および９は前記したとおりであり、８は凹みを示す。
【００２５】
図４に示す態様の化粧パフは、その表面２の中央に、先端部５にまで達する大きさの凹み８を有する。
【００２６】
この凹み８は、図５に示すように表面２側にのみ設けても良いが、更に裏面３側に設けることもできる。この凹み８は、その底が平らな鍋底型であっても、また丸底型であっても良い。
【００２７】
この凹み８を設ける理由は、これにより化粧パフ１が先端部５の中央に当たる突出部６で折り曲げやすくなり、より細かな部分まで、化粧料を塗布することが可能となるからである。そして、このような凹み８を有することで、細い化粧筆を利用するのと同様な化粧が可能となる。
【産業上の利用可能性】
【００２８】
本考案の化粧パフは、頬や額、あご等の平坦部分に化粧料を塗布しやすい表面２および裏面３と、前記平坦部分のみならず、眼周辺や鼻、口唇周辺など、肌上の細かい凹凸を有する部分にも、化粧料を塗布しやすい先端部５の突出部６を利用し、塗布できるため、これのみで十分な化粧を行うことが可能である。
【００２９】
従って、本考案の化粧パフを用いることにより、液状や固形パウダー状のファンデーション等のメイクアップ化粧料を、肌の細かい部分に対しても刷毛を用いた場合のように均一にムラなく塗布でき、簡単にきれいな化粧仕上がりを得ることができる。
【符号の説明】
【００３０】
１  …  …  化粧パフ
２  …  …  表面
３  …  …  裏面
４  …  …  後方部
５  …  …  先端部
６  …  …  突出部
７  …  …  変曲点
８  …  …  凹み
９  …  …  側壁
【図１】
0003152247.tif 000003
【図２】
0003152247.tif 000004
【図３】
0003152247.tif 000005
【図４】
0003152247.tif 000006
【図５】
0003152247.tif 000007